(57)【特許請求の範囲】
【請求項１】
ロータの設定回転数と実際の回転数とを同一の表示部で表示する表示装置を備えた遠心分離機において、機器の作動中は実際の回転数を表示し、非作動中は設定回転数を表示するとともに、実際の回転数と設定回転数を異なる色で表示させるようにしたことを特徴とする遠心分離機。
【請求項２】
２色発光数字表示ＬＥＤ使用し、該ＬＥＤによって前記ロータの設定回転数と実際の回転数を表示させることを特徴とする請求項１に記載の遠心分離機。
【発明の詳細な説明】
【０００１】
【発明の属する技術分野】
本発明は、遠心分離機に関するものである。
【０００２】
【従来の技術】
例えば、遠心分離機では、処理する試料の種類等によってロータの回転数が異なるため、ロータの最高回転数を適宜設定することができるようになっている。
そして、現在設定されている回転数は、少なくとも作業に先立って確認できるように、操作パネルに表示されることが好ましい。
一方、ロータの現在の回転数は、設定値に達しているか否かを確認するために必要である。
しかし、このような両方の数値を別の表示部でそれぞれ表示するためには、操作パネル上にそれぞれのスペースを確保しなくてはならず、レイアウトの自由度が小さくなるばかりでなく、表示部が多くなると誤認の虞も生じる。
【０００３】
そこで近年では、１つの表示部において、ロータの停止状態では設定回転数を表示させ、ロータの回転動作に伴って回転数を表示させるようにした表示装置が提供されている。
しかしながら、このような表示装置の場合にも、ロータの回転が設定回転数に達した状態ではその数値は安定するため、それがロータの回転数を示しているのか、設定回転数を示しているのかの区別がつかない。しかも近年の遠心分離機では、静音化が進んでいるため、遠心分離機に近づいて初めて運転中か否かの判断をすることになる。したがって、このような表示装置を採用した遠心分離機の場合には、操作者が実験を行なうため遠心分離機に近づいて初めて運転中であることが確認され、実験を一時中断しなければならない場合も起こる。
【０００４】
そこで、現在では、１つの表示部において、ロータの回転中は実際の回転数を示し、ロータの停止中においては、その値（０ｒｐｍ）と設定回転数とを交互に表示するようにしている。
しかし、この場合にも、設定内容（回転数）を確認するために表示部を注視しなくてはならず、煩わしさは残る。
【０００５】
【発明が解決しようとする課題】
そこで、本発明の目的は、ロータの設定回転数と実際の回転数を同一の表示部で表示する場合に、ロータの設定回転数と実際の回転数とを容易に判別するここができるようにした表示装置を備えた遠心分離機を提供することにある。
【０００６】
【課題を解決するための手段】
本発明の遠心分離機では、ロータの設定回転数と実際の回転数とを同一の表示部で表示する表示装置を備えた遠心分離機において、機器の作動中は実際の回転数を表示し、非作動中は設定回転数を表示するとともに、実際の回転数と設定回転数を異なる色で表示させるようにしている。
【０００７】
この発明の遠心分離機によれば、ロータの設定回転数と実際の回転数とを同一の表示部で表示させ、しかも設定回転数が色別によって実際の回転数と容易に判別でき、かつ機器が非作動状態であることも同時に確認することができる。
【０００８】
この発明の遠心分離機では、２色発光数字表示ＬＥＤ使用し、該ＬＥＤによって前記ロータの設定回転数と実際の回転数を表示させることができる。
【００１０】
【発明の実施の形態】
図１は本発明の表示装置を備えた遠心分離機の制御系を示した構成図であり、図２はその表示装置の制御手順を示している。
【００１１】
この遠心分離機１０では、ロータ１１の回転数がホール素子１２によって検出され、その信号が制御装置１３に入力される。制御装置１３は、ホール素子１２からの検出信号に基づいてロータ１１の回転数Ｎ１を確認し、その回転数が予め設定している設定回転数Ｎ０に達するまで、ロータ１１の回転を加速する。そして、ロータ１１の回転数Ｎ１が設定回転数Ｎ０に達すると、以後設定回転数Ｎ０に維持される。
【００１２】
一方、表示部１４には２色発光数字表示ＬＥＤ１５が使用されており、ロータ１１が停止している状態では制御装置１３からの指令信号で設定回転数が緑色で表示され、ロータ１１が回転している状態では制御装置１３からの指令信号で実際の回転数が赤色で表示される。
【００１３】
このような制御を図２のフローチャートによって説明する。
遠心分離機１０の電源がＯＮになると、先ずスタートスイッチがＯＮになっているか否（ＯＦＦ）かが判断される（ステップ１）。ここで、スタートスイッチがＯＮと判断された場合には、表示部１４では赤色で実際値が表示される（ステップ２）。一方、ステップ１において、スタートスイッチがＯＦＦと判断された場合には、続いてロータ１１が回転しているか否かが判断される（ステップ３）。そして、ロータ１１が回転していると判断された場合には、表示部１４では赤色で実際値が表示される（ステップ３）。また、ステップ３において、ロータ１１が回転していないと判断された場合には、表示部１４では緑色で設定値が表示される（ステップ４）。
【００１４】
なお、上記実施の形態では、スタートスイッチが入れられる（ＯＮ）と、ロータ１１を駆動するモータ１６の駆動回路が開かれて自己保持される。この駆動回路はストップスイッチによって閉じられ、同時に減速駆動回路が開かれる。しががって、ロータは適宜な加速度で減速され、そして停止される。
【００１５】
即ち、上記制御の場合には、スタートスイッチがＯＦＦになっている場合でも、ロータ１１が回転している場合には、表示部１４で赤色で実際値が表示される。しかし、他の制御との関係等で、必要ならばロータ１１が回転しているか否かを判断し、ロータ１１が回転していない場合には、続いてスタートスイッチがＯＮか否（ＯＦＦ）かを判断し、スタートスイッチがＯＦＦの場合には、表示部１４で緑色による設定値を表示させるようにしてもよい。
【００１６】
なお、上記実施の形態では、２色発光数字表示ＬＥＤを使用して、それぞれの数値を色別で表示させているが、数値の回りの照明等を色別させて、それぞれの数値を区別するようにしてもよい。
【００１７】
【発明の効果】
上記したように、本発明の遠心分離機では、ロータの設定回転数と実際の回転数とを同一の表示部で表示する表示装置を備えた遠心分離機において、機器の作動中は実際の回転数を表示し、非作動中は設定回転数を表示するとともに、実際の回転数と設定回転数を異なる色で表示させるようにしている。
また、本発明の遠心分離機では、２色発光数字表示ＬＥＤ使用し、該ＬＥＤによって前記ロータの設定回転数と実際の回転数を表示させることができる。
したがって、この発明の遠心分離機によれば、ロータの設定回転数と実際の回転数とを同一の表示部で表示させ、しかも設定回転数が色別によって実際の回転数と容易に判別でき、かつ機器が非作動状態であることも同時に確認することができる。
【図面の簡単な説明】
【図１】  本発明に係る表示装置を備えた遠心分離機の制御系を示した構成図である。
【図２】  図１の遠心分離機における表示装置の制御手順を示したフローチャートである。
【符号の説明】
１０        遠心分離機
１１        ロータ
１２        ホール素子
１３        制御装置
１４        表示部
１５        ２色発光数字表示ＬＥＤ
１６        モータ
【図１】
0004582849.tif 000002
【図２】
0004582849.tif 000003